(57)【要約】【課題】エスカレータの移動手摺保持装置において、保守作業の妨げにならないように、移動手摺の開口部を拡げ、かつその状態を保持することができるようにする。【解決手段】移動手摺保持装置１０は、移動手摺１２の長手方向に沿って延在し、移動手摺１２の背面１２ｂ側を支持する支持ベース１６と、移動手摺１２の一対の開口端部２６にそれぞれ係合する係合部２８と、係合部２８に接続し、移動手摺１２の幅方向の外側に係合部２８を移動させて開口部１４を拡開するとともに、支持ベース１６に固定されて、その状態を保持する拡開保持機構３０とを有する。支持ベース１６には、移動手摺１２の長手方向の任意の位置に拡開保持機構３０を固定する固定部２２が形成される。これにより、保守作業の妨げにならないように、移動手摺１２の開口部１４を拡げ、かつその状態を保持することができる。【選択図】図４
2011032006.tif 000002
【特許請求の範囲】
【請求項１】
エスカレータに用いられる断面略Ｃ字状の移動手摺の内面側の保守作業を行うときに、この移動手摺の断面略Ｃ字状の開口部を拡開した状態で保持するエスカレータの移動手摺保持装置において、
移動手摺の長手方向に沿って延在し、移動手摺の断面略Ｃ字状の背面側を支持する支持ベースと、
移動手摺の断面略Ｃ字状の一対の開口端部にそれぞれ係合する係合部と、
係合部に接続し、移動手摺の幅方向の外側に係合部を移動させて開口部を拡開するとともに、支持ベースに固定されて、その状態を保持する拡開保持機構と、
を有し、
支持ベースには、移動手摺の長手方向の任意の位置に拡開保持機構を固定する固定部が形成される、
ことを特徴とするエスカレータの移動手摺保持装置。
【請求項２】
請求項１に記載のエスカレータの移動手摺保持装置において、
固定部は、移動手摺の長手方向に延びて形成される孔を有し、
拡開保持機構は、前記孔に貫通して、この孔の縁に引っ掛かることにより、開口部を拡開した状態を保持する、
ことを特徴とするエスカレータの移動手摺保持装置。
【請求項３】
請求項２に記載のエスカレータの移動手摺保持装置において、
拡開保持機構は、
係合部に連結し、前記孔に貫通するねじ状部材と、
前記孔より、移動手摺の幅方向の外側に位置し、ねじ状部材に嵌り合う嵌合部材と、
を有し、
嵌合部材の回動により、移動手摺の幅方向の外側に係合部を移動させて開口部が拡開される、
ことを特徴とするエスカレータの移動手摺保持装置。
【請求項４】
請求項３に記載のエスカレータの移動手摺保持装置において、
嵌合部材が前記孔の縁に引っ掛かる、
ことを特徴とするエスカレータの移動手摺保持装置。
【請求項５】
請求項３に記載のエスカレータの移動手摺保持装置において、
嵌合部材が弾性部材を介して前記孔の縁に引っ掛かる、
ことを特徴とするエスカレータの移動手摺保持装置。
【発明の詳細な説明】
【技術分野】
【０００１】
本発明は、エスカレータの移動手摺保持装置の改良に関する。
【背景技術】
【０００２】
従来のエスカレータの構成について、図６を用いて説明する。図６は、従来のエスカレータ全体の斜視図である。
【０００３】
エスカレータ１１０は、乗り口と降り口とからなる一対の乗降口１１２（図６には一方のみ示す）と、これらの乗降口１１２の間を無端状に連結されるとともに、ガイドレール（図示せず）等に沿って循環走行する複数の踏段１１４と、循環走行する複数の踏段１１４と同期して欄干１１６の外周に沿ってスライドする無端状の移動手摺１１８とを備えている。エスカレータ１１０は、移動手摺１１８に手を掛けて、循環走行する踏段１１４に乗った利用者を、一方の乗降口１１２から他方の乗降口１１２へ移動させる。
【０００４】
移動手摺１１８は、一般的に、布製のキャンバス材などを積層した積層体を樹脂または接着剤で固めて、この移動手摺１１８の表面をゴム材などでコーティングして形成される。移動手摺１１８は、断面略Ｃ字状であり、欄干１１６上に配置されたガイドレール（図示せず）を断面略Ｃ字状の開口部でくわえ込むような状態で欄干１１６に取り付けられる。したがって、移動手摺１１８は、これの表面側よりもむしろ内面側、言い換えれば欄干１１６のガイドレールに接触する接触面側の摩耗または損傷が生じ易く、この面は定期的な補修および点検などの保守の対象になる。
【０００５】
移動手摺１１８の内面側の保守を行なう場合、作業員は、移動手摺１１８を欄干１１６から取り外し、断面略Ｃ字状の開口部が露出した状態、すなわち開口部が上方に向いた状態で移動手摺１１８を配置する。そして、ある作業員が、やっとこ、ペンチまたはプライヤなどの工具を用いて、断面略Ｃ字状の開口部を押し広げ、この状態を維持し、他の作業員が、押し広げられた開口部の保守作業を行なう。保守作業に含まれる補修作業とは、例えば、押し広げられた開口部に破損または摩耗がある場合、作業員が、カッターなどで破損または摩耗がある領域のキャンバス材を切り取り、その領域に新規のキャンバス材を貼り付ける作業のことである。
【０００６】
このような保守作業においては、移動手摺１１８の断面略Ｃ字状の開口部を押し広げる作業員が少なくとも一人必要になるので、作業工数が多くなってしまう。しかも、その作業員は、作業中、開口部を押し広げた状態で維持しなければならないので、肉体的に疲労してしまう。さらに、肉体的に疲労すると、開口部を押し広げた状態が不安定になるので、補修または点検作業のミスが発生してしまう可能性がある。
【０００７】
下記特許文献１には、移動手摺の断面略Ｃ字状の背面側（上述の表面側）を支持する支持ベースと、断面略Ｃ字状の開口端部に係合して開口部を拡開する拡開係合部と、開口部を拡開した状態で拡開係合部を支持ベースに対して固定する固定部とを有する移動手摺保持装置が記載されている。この移動手摺保持装置においては、支持ベースが、移動手摺の断面略Ｃ字状の開口端部の一方側に係合して移動手摺の幅方向の移動を規制し、拡開係合部が、開口端部の他方側を把持しながら支持ベース側に倒し、固定部が拡開係合部を保持することにより、機械的に、移動手摺の開口部が押し広げられた状態で保持される。
【０００８】
上記特許文献１の移動手摺保持装置においては、機械的に、移動手摺の開口部が押し広げられた状態で保持されるので、開口部を押し広げ、その状態を維持するための作業員の工数を削減することができ、開口部を押し広げた状態が安定化して、保守作業のミスの発生が抑制される。
【先行技術文献】
【特許文献】
【０００９】
【特許文献１】特開２００５−２１３０３８号公報
【発明の概要】
【発明が解決しようとする課題】
【００１０】
しかしながら、上記特許文献１の移動手摺保持装置においては、支持ベースに係合される、移動手摺の断面略Ｃ字状の開口端部の一方側は押し広げられないので、この領域における保守作業が行いにくいという問題がある。また、上記特許文献１の移動手摺保持装置においては、機械的に、移動手摺の開口部が押し広げられた状態で保持されていても、開口端部の一方側を係合する支持ベースと開口端部の他方側を把持する拡開係合部とが邪魔になり、保守作業を十分に行うことができないという問題がある。このため、拡開係合部が邪魔になりそれが保守作業の妨げになる場合、移動手摺の開口部が押し広げられた状態を一度解除して、移動手摺に対して移動手摺保持装置の位置をずらす、すなわち開口端部に対する拡開係合部の位置をずらしてから、再度、移動手摺の開口部を押し広げなければならない。よって、保守作業の手間がかかるという問題がある。
【００１１】
本発明の目的は、簡易な構造で、保守作業の妨げにならないように、移動手摺の開口部を拡げ、かつその状態を保持することができるエスカレータの移動手摺保持装置を提供することにある。
【課題を解決するための手段】
【００１２】
本発明は、エスカレータに用いられる断面略Ｃ字状の移動手摺の内面側の保守作業を行うときに、この移動手摺の断面略Ｃ字状の開口部を拡開した状態で保持するエスカレータの移動手摺保持装置において、移動手摺の長手方向に沿って延在し、移動手摺の断面略Ｃ字状の背面側を支持する支持ベースと、移動手摺の断面略Ｃ字状の一対の開口端部にそれぞれ係合する係合部と、係合部に接続し、移動手摺の幅方向の外側に係合部を移動させて開口部を拡開するとともに、支持ベースに固定されて、その状態を保持する拡開保持機構と、を有し、支持ベースには、移動手摺の長手方向の任意の位置に拡開保持機構を固定する固定部が形成されることを特徴とする。
【００１３】
また、固定部は、移動手摺の長手方向に延びて形成される孔を有し、拡開保持機構は、前記孔に貫通して、この孔の縁に引っ掛かることにより、開口部を拡開した状態を保持することができる。
【００１４】
また、拡開保持機構は、係合部に連結し、前記孔に貫通するねじ状部材と、前記孔より、移動手摺の幅方向の外側に位置し、ねじ状部材に嵌り合う嵌合部材と、を有し、嵌合部材の回動により、移動手摺の幅方向の外側に係合部を移動させて開口部が拡開されることが好適である。
【００１５】
また、嵌合部材が前記孔の縁に引っ掛かることができる。
【００１６】
また、嵌合部材が弾性部材を介して前記孔の縁に引っ掛かることができる。
【発明の効果】
【００１７】
本発明のエスカレータの移動手摺保持装置によれば、簡易な構造で、保守作業の妨げにならないように、移動手摺の開口部を拡げ、かつその状態を保持することができる。
【図面の簡単な説明】
【００１８】
【図１】本実施形態の支持ベースの構成を示す斜視図である。
【図２】本実施形態の係合部と拡開保持機構を示す図である。
【図３】本実施形態のエスカレータの移動手摺保持装置の構成を示す平面図である。
【図４】図３のＡ−Ａ線から見た、開口部の拡開前の状態を示す断面図である。
【図５】図３のＡ−Ａ線から見た、開口部を拡開した状態を示す断面図である。
【図６】従来のエスカレータの構成を示す斜視図である。
【発明を実施するための形態】
【００１９】
以下、本発明に係るエスカレータの移動手摺保持装置の実施形態について、図１から５を用いて説明する。図１は、本実施形態の支持ベースの構成を示す斜視図である。図２は、本実施形態の係合部と拡開保持機構を示す図である。図３は、本実施形態のエスカレータの移動手摺保持装置の構成を示す平面図である。図４は、図３のＡ−Ａ線から見た、開口部の拡開前の状態を示す断面図である。図５は、図３のＡ−Ａ線から見た、開口部を拡開した状態を示す断面図である。なお、移動手摺の具体的な構成は、図３から５に示す。
【００２０】
エスカレータの移動手摺保持装置（以降、単に移動手摺保持装置と記す）１０は、エスカレータに用いられる断面略Ｃ字状の移動手摺１２の内面１２ａ側の保守作業を行うときに、移動手摺１２の断面略Ｃ字状の開口部１４を拡開した状態で保持する装置である。
【００２１】
移動手摺１２は、従来技術で述べたように、布製のキャンバス材などを積層した積層体を樹脂または接着剤で固めて、この移動手摺１２の表面をゴム材などでコーティングして形成される。移動手摺１２は、断面略Ｃ字状であり、これの開口部１４は拡開可能である。移動手摺１２を欄干（図示せず）に取り付ける場合、開口部１４を拡開して移動手摺１２の内面１２ａ側に、欄干上に配置されたガイドレール（図示せず）を挿入させる。移動手摺１２を欄干に取り付けた後は、拡開された開口部１４が復元するので、欄干からの移動手摺１２の脱落が防止される。
【００２２】
移動手摺保持装置１０は、移動手摺１２の断面略Ｃ字状の背面１２ｂ側を支持する支持ベース１６を有する。この支持ベース１６の構成について、図１を用いて具体的に説明する。
【００２３】
支持ベース１６は、例えば木製の角材からなる支持ベース本体１８と、後述する拡開保持機構３０を固定する固定部２２とを有する。支持ベース本体１８は、移動手摺１２の保守作業時における移動手摺保持装置１０のずれを防止し安定性を図るため、所定の重量（例えば１５ｋｇ）を有する。
【００２４】
支持ベース本体１８は、移動手摺１２の背面１２ｂに接触して移動手摺１２を支持する支持面１８ａを有する。支持ベース本体１８は、移動手摺１２の長手方向（図に示しめされるｘ方向）に沿って延在して形成され、支持面１８ａが移動手摺１２の幅方向（図に示されるｙ方向）において移動手摺１２の長さより大きくなるように形成される。
【００２５】
固定部２２は、ｙ方向における支持面１８ａの両端にそれぞれ立設される。固定部２２は、ｘ方向に沿って延在して形成される。固定部２２は、例えばＬ字型のアングル材である。また、固定部２２は、ｘ方向に沿って延在して延びる孔２４を複数有する。本実施形態の固定部２２は、両側穴あきのＬ字型のアングル材であり、このアングル材に形成されている穴が孔２４に対応する。なお、本実施形態においては、固定部２２は、両側穴あきのＬ字型のアングル材の場合について説明したが、この構成に限定されず、片側穴あきのＬ字型のアングル材を用いることもできる。また、固定部２２が支持面１８ａに立設され、ｘ方向に沿って延在して延びる孔２４を有するのであれば、アングル材ではなく、フラットバーまたはチャンネル材を用いることもできる。また、互いに対向する固定部２２の間隔が、ｙ方向における移動手摺１２の長さより大きければ、固定部２２は支持面１８ａの両端より内側にそれぞれ立設されてもよい。
【００２６】
移動手摺保持装置１０は、移動手摺１２の断面略Ｃ字状の一対の開口端部２６に係合する係合部２８と、係合部２８に接続して開口部１４を拡開するとともに、支持ベース１６に固定されて、その状態を保持する拡開保持機構３０とを有する。係合部２８と拡開保持機構３０の構成について、図２を用いて具体的に説明する。
【００２７】
係合部２８は、フック状に形成されており、これの内側に開口端部２６を引っ掛けることにより開口端部２６に係合する（図４及び５参照）。本実施形態においては、係合部２８がフック状である場合について説明したが、この構成に限定されず、開口端部２６に係合する構造を有するものであれば、開口端部２６を挟み込んで端持するあご部を有するバイスプライヤなどであってもよい。
【００２８】
拡開保持機構３０は、係合部２８に連結するねじ状部材３２と、ねじ状部材３２に嵌り合う嵌合部材３４と、係合部２８と嵌合部材３４の間に位置するように、ねじ状部材３２に挿入された弾性部材３６とを有する。
【００２９】
ねじ状部材３２は、雄ねじボルトであり、全長にわたってねじが形成された通しボルトである。ねじ状部材３２は、孔２４に貫通することができるように、ボルトの直径が孔２４の内径より小さく形成されている。ねじ状部材３２の先端に、ナットを介して係合部２８が連結される。なお、ねじ状部材３２は、全長にわたってねじが形成されたボルトに限らず、嵌合部材３４が嵌る所定の長さにねじが形成されたボルトであってもよい。また、係合部２８とねじ状部材３２は、周知の方法、例えば溶接により連結することもできる。
【００３０】
嵌合部材３４は、これの貫通孔（図示せず）の内面に、ねじ状部材３２の雄ねじに対応する雌ねじが形成された蝶ナットである。嵌合部材３４は、これの回動により、ねじ状部材３２上を軸方向に移動可能である。
【００３１】
弾性部材３６は、コイル状のスプリングであり、これの両端には座金３８がそれぞれ設けられている。弾性部材３６と座金３８は、ねじ状部材３２にスライド可能に挿入されている。座金３８は、孔２４の縁に当接して孔２４の通り抜けができないように、座金３８の直径は孔２４の内径より大きく形成されている。
【００３２】
次に、移動手摺保持装置１０が移動手摺１２の開口部１４を拡開し、その状態で保持する動作について、図３から５を用いて具体的に説明する。
【００３３】
まず、作業員は、エスカレータの欄干（図示せず）から移動手摺１２を取り外し、開口部１４が上方に向いた状態で移動手摺１２を支持ベース１６上に配置する。このとき、図３に示されるように、移動手摺１２はｘ方向に沿って配置され、図４に示されるように、移動手摺１２の背面１２ｂ側が支持ベース１６の支持面１８ａに接するように配置される。
【００３４】
次に、作業員は、複数の孔２４にねじ状部材３２をそれぞれ貫通させて、これらのねじ状部材３２に連結された係合部２８を、移動手摺１２の一対の開口端部２６にそれぞれ係合させる。そして、作業員は、ねじ状部材３２の末端から座金３８、弾性部材３６、座金３８そして嵌合部材３４を順に挿入し、拡開保持機構３０を組み立てる。この状態が、移動手摺１２の開口部１４の拡開前の状態である（図３及び４参照）。
【００３５】
そして、作業員は、拡開保持機構３０を用いて、ｙ方向の外側、言い換えると図４の紙面における左側と右側に係合部２８をそれぞれ移動させる。具体的には、嵌合部材３４をねじ状部材３２の先端側に移動するように回動させる。そうすると、孔２４の縁に引っ掛かる座金３８と、嵌合部材３４とともにねじ状部材３２の先端側に移動しようとする座金３８とに挟まれて、弾性部材３６が縮み、ｙ方向の外側に向かい所定の付勢力が嵌合部材３４とねじ状部材３２に付与される。この付勢力が、開口端部２６の閉じる方向への復元力より大きくなると、図５に示されるように、ｙ方向の外側に係合部２８が移動して、移動手摺１２の開口部１４が拡開される。そして、座金３８が孔２４の縁に引っ掛かっているので、ｙ方向の内側、言い換えると移動手摺１２側へのねじ状部材３２の移動が規制される。よって、拡開保持機構３０は、開口部１４を拡開した状態を保持することができる。
【００３６】
本実施形態の移動手摺保持装置１０によれば、移動手摺１２の一対の開口端部２６をそれぞれ押し広げることができるので、従来技術で述べたように片側のみを押し広げる装置にくらべ、開口部１４の保守作業が行ないやすくなる。
【００３７】
また、本実施形態の移動手摺保持装置１０は、支持ベース１６に、ｘ方向の任意の位置に拡開保持機構３０を固定することができるように孔２４が形成された固定部２２を有する。この構成により、移動手摺１２の開口部１４が拡開した状態で保持された状態で、係合部２８に係合された開口端部２６の領域について保守作業を行なおうにもその係合部２８が邪魔になってしまう場合であっても、その係合部２８とこれに連結する拡開保持機構３０のみをｘ方向の任意の位置にずらして固定部２２に再度固定することができる。この間、移動手摺１２の開口部１４が拡開した状態は、保守作業に邪魔にならない係合部２８とこれに連結する拡開保持機構３０により保持される。よって、従来技術で述べたように、移動手摺の開口部が押し広げられた状態を一度解除して、移動手摺に対して移動手摺保持装置の位置をずらしてから、再度、移動手摺の開口部を拡開するという作業が無くなるので、保守作業の手間を省くことができる。
【００３８】
本実施形態においては、拡開保持機構３０の座金３８が孔２４の縁に引っ掛かり、開口部１４が拡開された状態で保持される場合について説明したが、この構成に限定されない。孔２４の内径より大きく孔２４の縁に引っ掛かることができる構成であれば、座金３８を取り付けずに、弾性部材３６が孔２４の縁に引っ掛かり、開口部１４が拡開された状態で保持されてもよい。さらに、弾性部材３６と、これと嵌合部材３４の間にある座金３８とを取り付けずに、嵌合部材３４が孔２４の縁に引っ掛かり、開口部１４が拡開された状態で保持されてもよい。
【００３９】
また、本実施形態においては、固定部２２が、ｘ方向に延びて形成される複数の孔２４を有する場合について説明したが、この構成に限定されない。固定部２２が、ｘ方向の任意の位置に拡開保持機構３０を固定することができるのであれば、円形の孔２４がｘ方向に複数並んで形成されてもよい。また、固定部２２が、ｘ方向に複数並んで形成された切り欠きを有し、この切り欠きの縁に、拡開保持機構３０を引っ掛けることにより、開口部１４を拡開した状態で保持するもできる。
【符号の説明】
【００４０】
１０  エスカレータの移動手摺保持装置、１２  移動手摺、１４  開口部、１６  支持ベース、２２  固定部、２４  孔、２６  開口端部、２８  係合部、３０  拡開保持機構、３２  ねじ状部材、３４  嵌合部材、３６  弾性部材。
【図１】
2011032006.tif 000003
【図２】
2011032006.tif 000004
【図３】
2011032006.tif 000005
【図４】
2011032006.tif 000006
【図５】
2011032006.tif 000007
【図６】
2011032006.tif 000008